(57)【要約】【課題】パウチの脱落が生じにくく、意匠性を高めやすいパウチホルダーを提供する。【解決手段】パウチホルダーは、筒状の本体と、本体に装着される被覆部材５０とを備え、本体は、前側面と、前側面に連なる左側面および右側面とを有し、被覆部材は、前側面を覆う前面５１と、左側面を覆う左面５３と、右側面を覆う右面５４とを有し、左面および右面は、前面と接続された側と反対側の後側に折り返し面５３ｂ、５４ｂを有し、前側面と、左側面、および右側面のうち二つが係合部を有し、被覆部材は、前面、左面、および右面のうち、係合部が設けられた面と対応する面に被係合部を有し、被覆部材が本体に装着された状態において、係合部と被係合部とが係合し、左側面の後部が、左面と、左面と連なる折り返し面との間に進入し、右側面の後部が、右面と、右面と連なる折り返し面との間に進入している。【選択図】図６
2020169051.tif 000002
【特許請求の範囲】
【請求項１】
筒状の本体と、
前記本体の上部を覆う被覆部材と、
を備え、
前記本体は、前側面と、前記前側面に連なる左側面および右側面とを有し、
前記被覆部材は、前記前側面を覆う前面と、前記左側面を覆う左面と、前記右側面を覆う右面とを有し、
前記左面および前記右面は、前記前面と接続された側と反対側の後側に折り返し面を有し、
前記前側面、前記左側面、および前記右側面のうち二つが係合部を有し、
前記被覆部材は、前記前面、前記左面、および前記右面のうち、前記係合部が設けられた面と対応する面に被係合部を有し、
前記被覆部材が前記本体に装着された状態において、
前記係合部と前記被係合部とが係合し、
前記左側面の後部が、前記左面と、前記左面と連なる前記折り返し面との間に進入し、
前記右側面の後部が、前記右面と、前記右面と連なる前記折り返し面との間に進入している、
パウチホルダー。
【請求項２】
前記本体は、前記前側面、前記左側面、および前記右側面と連なり後側に開くＵ字状に形成された天面を有し、
前記被覆部材は、前記天面を覆う上面を有し、
前記上面は、下方に突出するリブを有し、
前記被覆部材が前記本体に装着された状態において、前記天面が、前記前面、前記左面、前記右面、および前記リブに囲まれた領域にはまり込んでいる、
請求項１に記載のパウチホルダー。
【請求項３】
前記左側面および前記右側面は、後側に他の部位より薄いレール部を有し、
前記被覆部材が前記本体に装着された状態において、
前記左側面のレール部が、前記左面と、前記左面と連なる前記折り返し面との間に進入し、
前記右側面のレール部が、前記右面と、前記右面と連なる前記折り返し面との間に進入している、
請求項１または２に記載のパウチホルダー。
【請求項４】
第一部材と、前記第一部材に取り付けられる第二部材との嵌合構造であって、
前記第一部材は、前側面と、前記前側面に連なる左側面および右側面とを有し、
前記第二部材は、前記前側面を覆う前面と、前記左側面を覆う左面と、前記右側面を覆う右面とを有し、
前記左面および前記右面は、前記前面と接続された側と反対側の後側に折り返し面を有し、
前記前側面、前記左側面、および前記右側面のうち二つが係合部を有し、
前記第二部材は、前記前面、前記左面、および前記右面のうち、前記係合部が設けられた面と対応する面に被係合部を有し、
前記第二部材が前記第一部材に取り付けられた状態において、
前記係合部と前記被係合部とが係合し、
前記左側面の後部が、前記左面と、前記左面と連なる前記折り返し面との間に進入し、
前記右側面の後部が、前記右面と、前記右面と連なる前記折り返し面との間に進入している、
嵌合構造。
【発明の詳細な説明】
【技術分野】
【０００１】
本発明は、液体等が収容されたパウチを保持するパウチホルダーに関する。
【背景技術】
【０００２】
シャンプーや調味料等の各種液体を詰め替え用のパウチに収容し、プラスチックボトル等の本容器にパウチから各種液体を補充することが広く行われている。
その一方で、液体の移し替えが面倒という考え方もあり、移し替えずに使用したいとの需要も存在する。
【０００３】
特許文献１には、可撓性液体収納袋を取り付けるためのホルダーが記載されている。このホルダーは、断面が略Ｃ字状あるいはＵ字状の上部水平板部と、下部水平板部とを備える。上部水平板部を受部としてパウチ等の注出口部を掛けることで液体収納袋がホルダーに保持される。下部水平板部は台部として機能し、自立性のない液体収納袋であっても安定して置くことができる。
【先行技術文献】
【特許文献】
【０００４】
【特許文献１】特開平６−２９３３４７号公報
【発明の概要】
【発明が解決しようとする課題】
【０００５】
特許文献１に記載のホルダーは、液体収納袋を横から進入させる構造上、側面の一部を大きく欠く形状となる。特許文献１に記載のホルダーは、樹脂等で形成するのが簡便であるが、このような形状であるため、樹脂で形成すると外力で容易に変形する。外力により上部水平板部が変形すると、液体収納袋がホルダーから脱落する原因となる。
硬質な樹脂や金属等でホルダー全体を形成すると、この問題はある程度解決するが、その反面、コスト増や、意匠性が制約されるなどのデメリットも生じる。
【０００６】
上記事情を踏まえ、本発明は、パウチの脱落が生じにくく、意匠性を高めやすいパウチホルダーを提供することを目的とする。
【課題を解決するための手段】
【０００７】
本発明は、筒状の本体と、本体の上部を覆う被覆部材とを備えるパウチホルダーである。
本体は、前側面と、前側面に連なる左側面および右側面とを有する。被覆部材は、前側面を覆う前面と、左側面を覆う左面と、右側面を覆う右面とを有する。左面および右面は、前面と接続された側と反対側の後ろ側に折り返し面を有する。
前側面、左側面、および右側面のうち二つは係合部を有し、被覆部材は、前面、左面、および右面のうち、係合部が設けられた面と対応する面に被係合部を有する。
このパウチホルダーは、被覆部材が本体に装着された状態において、係合部と被係合部とが係合し、左側面の後部が、左面と、左面と連なる折り返し面との間に進入し、右側面の後部が、右面と、右面と連なる折り返し面との間に進入している。
【発明の効果】
【０００８】
本発明のパウチホルダーは、パウチの脱落が生じにくく、意匠性を高めやすい。
【図面の簡単な説明】
【０００９】
【図１】本発明の一実施形態に係るパウチホルダーを示す斜視図である。
【図２】同パウチホルダーの本体を示す図であり、右側は背面図、左側は左側面図である。
【図３】同本体の上部の拡大断面図である。
【図４】同本体の平面図である。
【図５】同パウチホルダーの被覆部材を示す図であり、右側は背面図、左側は左側面図である。
【図６】同被覆部材の底面図である。
【図７】パウチが保持された同パウチホルダーを示す図である。
【発明を実施するための形態】
【００１０】
以下、本発明の一実施形態について、図１から図７を参照しながら説明する。
図１は、本実施形態のパウチホルダー１を前側から見た斜視図である。パウチホルダー１は、本体１０と、本体１０の上部を覆うように取り付けられる被覆部材５０とを備えている。
【００１１】
図２は、本体１０を示す図であり、左側が背面図、右側が左側面図である。本体１０の外形は略角筒状であり、前側面１１、後側面１２、左側面１３、右側面１４、および天面１５を有する。本実施形態において、本体１０は底面を有さないが、底面を有してもよい。
後側面１２は、本体１０の下部にのみ存在しており、左側面１３と右側面１４とを接続している。これにより、本体１０は、後側が大きく開いた形状となっており、保持対象のパウチが後側から本体１０の内部空間に進入できるように構成されている。
【００１２】
本体１０は、上側の第一領域２１と、下側の第二領域２２とを有している。第一領域２１の外形寸法は、第二領域２２の外形寸法よりも小さい。そのため、前側面１１、左側面１３、および右側面１４は、それぞれ第一領域２１と第二領域２２との境界に段部１１ａ、１３ａ、１４ａを有する。
【００１３】
前側面１１、左側面１３、および右側面１４は、それぞれ第一領域２１の範囲内に、被覆部材５０と係合する爪（係合部）３１、３３、３４を有する。各爪３１、３３、３４は、それぞれ斜面３１ａ、３３ａ、および３４ａを有する。各斜面３１ａ、３３ａ、３４ａは、本体１０の下方に近づくにつれて形成された面から徐々に離間している。
【００１４】
図３は、本体１０上部の拡大断面図である。左側面１３および右側面１４の後側には、それぞれ被覆部材１０と係合するレール部１３１および１４１が形成されている。レール部１３１および１４１は、左側面１３および右側面１４の他の部位より薄く形成されており、これにより、左側面１３および右側面１４の後側内面に、段差１３２および１４２が形成されている。レール部１３１および１４１は、上部にガイド斜面１３１ａ、１４１ａを有し、段差１３２および１４２は、下部にガイド斜面１３２ａ、１４２ａを有する。
図３には左側面１３のみ見えているが、右側面１４も同様の構造を有する（図１参照）。
図４は、本体１０の平面図である。天面１５は、後側に開くＵ字状またはＣ字状に形成されている。
【００１５】
図５は、被覆部材５０を示す図であり、左側が背面図、右側が左側面図である。被覆部材５０の外形は略角筒状であり、前面５１、左面５３、右面５４、および上面５５を有する。
【００１６】
前面５１、左面５３、右面５４は、それぞれ本体１０の前側面１１、左側面１３、および右側面１４の第一領域とほぼ同一の寸法を有する。前面５１、左面５３、右面５４の厚みは、前側面１１、左側面１３、および右側面１４における段部１１ａ、１３ａ、１４ａの寸法と略同一（同一を含む。以下同じ。）である。
前面５１、左面５３、および右面５４の内面には、それぞれ爪３１、３３、３４の形状に対応する凹部５１ａ、５３ａ、５４ａ（図６参照。）が形成されている。各爪３１、３３、３４と各凹部５１ａ、５３ａ、５４ａとは、被覆部材５０が本体１０に装着されたときに、各爪が対応する凹部内に位置する位置関係にある。
【００１７】
図６は、被覆部材５０の底面図である。左面５３および右面５４は、被覆部材５０の後側で折り返されている。これにより、左面５３および右面５４は、後部に前側に延びる折り返し面５３ｂおよび５４ｂをそれぞれ有する。左面５３と折り返し面５３ｂとの間には、本体１０のレール部１３１が進入できる。右面５４と折り返し面５４ｂとの間には、本体１０のレール部１４１が進入できる。
折り返し面５３ｂおよび５４ｂの厚みは、左側面１３および右側面１４とレール部１３１および１４１との厚みの差と略同一である。折り返し面５３ｂおよび５４ｂの面形状は、段差１３２および１４２に対応した形状である。したがって、折り返し面５３ｂおよび５４ｂは、段差１３２および１４２を埋めることができる。
【００１８】
上面５５は、後側に開くＵ字状またはＣ字状に形成されており、下方に突出するリブ５６を有する。被覆部材５０の平面視におけるリブ５６の形状は、本体１０の天面１５の内縁形状と略同一である。このため、天面１５は、前面５１、左面５３、右面５４、およびリブ５６により囲まれた領域内に、大きなクリアランスのない状態ではまり込むことができる。
上面５５は、被覆部材５０の平面視においてリブ５６よりも内側まで延びている。したがって、上面５５のＵ字状またはＣ字状の開口は、天面１５のＵ字状またはＣ字状の開口よりも一回り小さい。上面５５の開口内縁には、一対の突起５７が上面の面方向に突出している。
【００１９】
パウチホルダー１は、本体１０に対して、第一領域２１を覆うように被覆部材５０を取り付けることにより製造される。
被覆部材５０を装着する際は、本体１０の前後左右と被覆部材５０の前後左右とを一致させた状態で、本体１０の上部に被覆部材５０の下部を接近させる。
本体１０の左側面１３の後部を被覆部材５０の左面５３と左面５３と連なる折り返し面５３ｂとの間に進入させ、かつ右側面１４の後部を被覆部材５０の右面５４と左面５３と連なる折り返し面５４ｂとの間に進入させた状態で、本体１０に対し被覆部材５０を下降させると、本体１０の第一領域２１が徐々に被覆部材５０により覆われていく。被覆部材５０の下端と段部１１ａ、１３ａ、１４ａとが接近すると、爪３１、３３、３４が対応する凹部内に入るとともに、天面１５が前面５１、左面５３、右面５４、およびリブ５６により囲まれた領域内にはまり込む。
【００２０】
以上で本体１０に対する被覆部材５０の装着が完了し、パウチホルダー１が完成する。被覆部材５０は、本体１０に対して下降させるだけで装着できるため、組み立てが極めて簡便である。また、レール部１３１および１４１のガイド斜面１３１ａ、１４１ａ、および段差１３２および１４２のガイド斜面１３２ａ、１４２ａは、被覆部材５０と本体１０との位置関係のずれをある程度修正する機能を有する。したがって、一定範囲内のずれは、被覆部材５０を下降させるだけで被覆部材５０が各ガイド斜面に好適に案内されて修正される。
本体１０と被覆部材５０との上述した寸法関係により、完成したパウチホルダー１においては、被覆部材５０の外面と本体１０の外面とがほぼ段差なく連続し、本体１０の内部において、第一領域の左側面１３および右側面１４と、折り返し面５３ｂおよび５４ｂとがほぼ段差なく連続している。
【００２１】
完成したパウチホルダー１にパウチを保持する際は、パウチをパウチホルダー１の後ろ側から本体１０の内部空間に進入させ、パウチに取り付けられたスパウトやポンプのフランジ等を被覆部材５０の上面５５の開口に係止すると、図７に示すようにパウチ１００がパウチホルダー１に保持される。パウチホルダー１の本体１０は、略角筒状であるため、底面を有さないパウチを保持した状態で、安定して置くことができる。上面５５の開口内縁に形成された一対の突起５７は、保持されたパウチがパウチホルダー１から外れることを防ぐ抜け止めとして機能する。
【００２２】
本体１０と被覆部材５０とからなるパウチホルダー１においては、製造後に被覆部材５０から本体１０から外れることが使用性の低下につながる。本実施形態のパウチホルダー１は、被覆部材５０から本体１０から外れることが防止された構造を有する。
まず、被覆部材５０が本体１０に対して上方に移動することは、各爪３１、３３、３４の下面が、対応する凹部の下側内面と干渉することにより抑制される。したがって、被覆部材５０は、本体１０から上方には抜けにくい。
【００２３】
爪と凹部との係合は、本体１０および被覆部材５０の少なくとも一方が変形することにより、左側面１３と左面５３等の、対応する２つの面が離間すると外れてしまう。本体１０は、後ろ側が大きく開いているため、本来は変形しやすいが、左側面１３および右側面１４の前部は、いずれも前側面１１と接続され、左側面１３および右側面１４の後部は、それぞれ左面５３および右面５４の折り返された後部内に進入している。したがって、左側面１３および右側面１４は、前後両端部が容易に移動できないため、左面５３や右面５４から離間するような変形を生じにくい。さらに、前側面１１は、左右両端部がそれぞれ左側面１３および右側面１４と接続されているため、前面５１から離間するような変形を生じにくい。
被覆部材５０が装着後に本体１０に対して上方に移動するには、爪３１、３３、３４すべての係合が外れる必要がある。上述した構造により、意図的な力を加えない限り、爪３、１、３３、３４すべての係合が外れることはないため、被覆部材５０の上方への抜けは好適に抑制される。
【００２４】
さらに、本体１０の天面１５は、前面５１、左面５３、右面５４、およびリブ５６により囲まれた領域内に大きなクリアランスなくはまり込んでいる。したがって、天面１５は、左面５３、右面５４、およびリブ５６により囲まれた領域内で、移動も変形もほぼできない状態で保持される。その結果、天面１５と接続された前側面１１、左側面１３、および右側面１４の上端部は、被覆部材５０の対応する面から離間するように変形しにくい。
【００２５】
これらの作用により、被覆部材５０は、本体１０に対して下方にスライドするだけで容易に装着できる一方、いったん装着されて嵌合した後は、使用時に受ける外力により本体１０から外れることがほぼない程度に脱落が抑制される。
【００２６】
本実施形態のパウチホルダー１においては、製造時における組み立ての簡便性と、製造後における被覆部材と本体との離脱抑制とが好適に両立されている。
また、天面１５と上面５５とが一体となったパウチホルダー１の上側の面は、容易に変形することがなく、係止したパウチが脱落しにくい。この効果は、一対の突起５７によりさらに高められている。
【００２７】
さらに、パウチホルダー１は、本体１０と被覆部材５０とから構成されるため、一方の色彩や質感を他方と異ならせたり、一方にのみ加飾印刷を施したりすることにより、意匠性を高めることも容易である。
【００２８】
本実施形態において、本体１０および被覆部材５０の材質は適宜設定できるが、射出成型可能な各種樹脂が好適である。本体１０および被覆部材５０を樹脂で形成する場合、パウチが係止される被覆部材５０を、例えばポリオキシメチレン（ＰＯＭ）、ＡＢＳ樹脂、ポリカーボネート（ＰＣ）、ポリエチレンテレフタレート（ＰＥＴ）、ポリ塩化ビニル（ＰＶＣ）等の硬い樹脂で形成することが好ましい。本明細書において、「硬い樹脂」とは、曲げ弾性係数が２６．４〜３２程度（１０３ｋｇｆ／ｃｍ２）の物を指す。本体１０を被覆部材５０より柔らかい樹脂で形成すると、被覆部材５０を本体１０に装着する際に、本体１０が適度に変形し、装着作業を円滑に行える。柔らかい樹脂としては、ポリエチレン（ＰＥ）やポリプロピレン（ＰＰ）等を例示できる。これらの樹脂の曲げ弾性係数は４〜１６程度（１０３ｋｇｆ／ｃｍ２）である。
【００２９】
以上、本発明の一実施形態について図面を参照して詳述したが、具体的な構成はこの実施形態に限られるものではなく、本発明の要旨を逸脱しない範囲の構成の変更、組み合わせなども含まれる。以下にいくつか変更を例示するが、これらはすべてではなく、それ以外の変更も可能である。これらの変更が２以上適宜組み合わされてもよい。
【００３０】
・第一領域に形成される３つの爪は、一部省略されてもよい。ただし、爪が１つだけであると、本体と被覆部材との係合が解除されやすくなるため、隣接する面に２つ以上設けるのが好ましい。
・被覆部材に爪を有し、本体が凹部を有してもよい。さらに、被覆部材が爪および凹部を有し、本体の対応する位置に凹部および爪が設けられてもよい。
【００３１】
・本体の第二領域を厚くすることで、段部を有しつつ、本体内部において第一領域と第二領域とを段差なく連続させてもよい。
・パウチホルダーが完成した状態において、被覆部材の外面と本体との外面に段差が生じていてもよい。
【００３２】
・本発明のパウチホルダーに係止できる構造を有するものであれば、保持されるものはパウチには限られない。パウチでないものを保持する用途で製造されたものであっても、上述したものと同様の構造を有する限り、本発明に係るパウチホルダーである。
【００３３】
上述した本体と被覆部材との嵌合構造は、パウチホルダー以外にも適用可能である。すなわち、後方が開放された第一部材に後方が開放された第二部材を取り付ける場合に上述の嵌合構造を適用することにより、第二部材を容易に第一部材に嵌合でき、かつ嵌合後は第二部材が第一部材から外れにくい構造体を実現できる。
【符号の説明】
【００３４】
１  パウチホルダー
１０  本体
１１  前側面
１３  左側面
１４  右側面
１５  天面
３１、３３、３４  爪（係合部）
５０  被覆部材
５１  前面
５３  左面
５４  右面
５５  上面
５６  リブ
５１ａ、５３ａ、５４ａ  凹部（被係合部）
５３ｂ、５４ｂ  折り返し面
１３１、１４１  レール部
【図１】
2020169051.tif 000003
【図２】
2020169051.tif 000004
【図３】
2020169051.tif 000005
【図４】
2020169051.tif 000006
【図５】
2020169051.tif 000007
【図６】
2020169051.tif 000008
【図７】
2020169051.tif 000009